【手続補正書】
【提出日】平成29年3月31日(2017.3.31)
【手続補正１】
【補正対象書類名】明細書
【補正対象項目名】００２２
【補正方法】変更
【補正の内容】
【００２２】
上記目的を達成するために、請求項１の通信装置は、電話機を接続するためのインタフェースと、前記インタフェースに給電する給電部と、前記インタフェースに印加されている電圧を検知する検知手段と、前記検知手段により検知された電圧の値が予め定められた値以上であるか否かを判別する判別手段と、前記判別手段により、前記検知された電圧の値が前記予め定められた値以上であると判別された場合に、ユーザに誤接続の可能性があることを通知する通知手段と、前記判別手段により、前記検知された電圧の値が前記予め定められた値以上ではないと判別された場合に、前記給電部による給電を開始する給電開始手段とを有することを特徴とする。
【手続補正２】
【補正対象書類名】明細書
【補正対象項目名】００２３
【補正方法】変更
【補正の内容】
【００２３】
本発明によれば、電話機を接続するためのインタフェースに印加されている電圧の値が予め定められた値以上の場合に、ユーザに誤接続の可能性があることを通知するので、誤接続により生じる事象を予防可能となる。
【手続補正３】
【補正対象書類名】明細書
【補正対象項目名】００２４
【補正方法】変更
【補正の内容】
【００２４】
【図１】本発明の実施の形態に係るファクシミリシステムの概略構成を示す図である。
【図２】図１におけるファクシミリ装置の概略構成を示す図である。
【図３】図１におけるＩＰ−ＦＡＸ装置の概略構成を示す図である。
【図４】図４（Ａ）は、図２におけるＣＰＵ２００，１２００により実行される誤接続制御処理の手順を示すフローチャートであり、図４（Ｂ）は、図４（Ａ）の変形例を示すフローチャートである。
【図５】図２におけるＣＰＵにより実行される誤接続制御処理の手順を示すフローチャートである。
【図６】図２におけるＣＰＵにより実行される誤接続制御処理の手順を示すフローチャートである。
【図７】図２におけるＣＰＵにより実行される誤接続制御処理の手順を示すフローチャートである。
【図８】図８（Ａ）は、間欠給電を説明するための図であり、（Ｂ）は電圧の値を確認するタイミングを示す図であり、（Ｃ）は電流の確認及びダイヤルトーンを検出するタイミングを示す図である。
【手続補正４】
【補正対象書類名】明細書
【補正対象項目名】００５０
【補正方法】変更
【補正の内容】
【００５０】
直流捕捉回路１５４は、ＳＤＡＡ１０４及び整流回路１５７に接続し、トランジスタなどの電流源により構成され、電流源の電流を調整することにより、直流捕捉を行いながら、ＳＤＡＡ１０４の制御に基づいて直流インピーダンスの調整に用いられる回路である。
【手続補正５】
【補正対象書類名】明細書
【補正対象項目名】００５５
【補正方法】変更
【補正の内容】
【００５５】
ＣＩ検知回路１０８は、通信回線１３０に接続されており、通信回線１３０から受信した呼び出し信号（以下、「ＣＩ信号」という）を検知する。ＣＩ検知回路１０８は、通信回線１３０からのＣＩ信号を検知すると、ＣＩ検知信号１０９をＳＯＣ１０１に対して送信する。ＳＯＣ１０１は、ＣＩ検知信号１０９に基づいて、通信回線１３０からＣＩ信号の着信があったか否かを判別する。
【手続補正６】
【補正対象書類名】明細書
【補正対象項目名】００５９
【補正方法】変更
【補正の内容】
【００５９】
ＤＣ電源１１３は、電話用インタフェース１２９に給電する給電部に対応し、電話用インタフェース１２９に給電することで、電話機１２８に対して電流を供給する。上述した無鳴動着信状態の際にＤＣ電源１１３は電話機１２８に電流を供給する。また、ＤＣ電源１１３は自身の出力した電流を確認することも可能である。また、ＤＣ電源１１３は、電流検知信号１１２により、ＤＣ電源１１３で確認した電流値をＳＯＣ１０１に通知する。
【手続補正７】
【補正対象書類名】明細書
【補正対象項目名】００６２
【補正方法】変更
【補正の内容】
【００６２】
このように電話機１２８に流れる電流を検知することで、フック検知回路１１７は、電話機１２８におけるオフフック又はオンフックの状態を検知する。
【手続補正８】
【補正対象書類名】明細書
【補正対象項目名】００８９
【補正方法】変更
【補正の内容】
【００８９】
図４（Ａ）は、図２のＣＰＵ２００及び図３のＣＰＵ１２００により実行される誤接続制御処理の手順を示すフローチャートである。
【手続補正９】
【補正対象書類名】明細書
【補正対象項目名】００９０
【補正方法】変更
【補正の内容】
【００９０】
図４（Ａ）において、電圧検知部１５０，１１５０は、電話用インタフェース１２９，１１２９に印加されている電圧を検知し、その値確認する（ステップＳ４０１）。このステップＳ４０１と後述するステップＳ６０１，７０２は、本発明の検知手段に対応する。
【手続補正１０】
【補正対象書類名】明細書
【補正対象項目名】００９１
【補正方法】変更
【補正の内容】
【００９１】
次いで、電圧検知部１５０，１１５０により確認された電圧の値が、予め定められた値以上であるか否かを判別する（ステップＳ４０２）。このステップＳ４０２と後述するステップＳ６０２，７０３は、本発明の判別手段に対応する。
【手続補正１１】
【補正対象書類名】明細書
【補正対象項目名】００９２
【補正方法】変更
【補正の内容】
【００９２】
ステップＳ４０２の判別の結果、確認された電圧の値が、予め定められた値以上の場合には（ステップＳ４０２でＹＥＳ）、ユーザに対して誤接続の可能性があること示す画面を表示器１１９，１１１９に表示し（ステップＳ４０３）、ステップＳ４０２に戻る。このステップＳ４０３と、後述するステップＳ６０４，７０４は、本発明の通知手段に対応する。
【手続補正１２】
【補正対象書類名】明細書
【補正対象項目名】００９３
【補正方法】変更
【補正の内容】
【００９３】
一方、ステップＳ４０２の判別の結果、確認された電圧の値が、予め定められた値以上ではない場合には（ステップＳ４０２でＮＯ）、上記ステップＳ４０３で誤接続の可能性があることを示す画面を表示したか否かを判別する（ステップＳ４０４）。
【手続補正１３】
【補正対象書類名】明細書
【補正対象項目名】００９４
【補正方法】変更
【補正の内容】
【００９４】
ステップＳ４０４の判別の結果、誤接続の可能性があることを示す画面を表示していない場合には（ステップＳ４０４でＮＯ）、ＤＣ１１３，１１１４は電話用インタフェース１２９，１１２９に給電を開始し（ステップＳ４０６）、本処理を終了する。このステップＳ４０６と後述するステップＳ６０８，７０８は、本発明の給電開始手段に対応する。
【手続補正１４】
【補正対象書類名】明細書
【補正対象項目名】０１０５
【補正方法】変更
【補正の内容】
【０１０５】
図５は、図２のＣＰＵ２００及び図３のＣＰＵ１２００により実行される誤接続制御処理の手順を示すフローチャートである。
【手続補正１５】
【補正対象書類名】明細書
【補正対象項目名】０１０６
【補正方法】変更
【補正の内容】
【０１０６】
図５において、まず、電圧検知部１５０，１１５０は、電話用インタフェース１２９，１１２９に印加されている電圧を検知することにより、電圧の値を確認する（ステップＳ６０１）。
【手続補正１６】
【補正対象書類名】明細書
【補正対象項目名】０１０７
【補正方法】変更
【補正の内容】
【０１０７】
次いで、電圧検知部１５０，１１５０により確認された電圧の値が、予め定められた値以上であるか否かを判別する（ステップＳ６０２）。
【手続補正１７】
【補正対象書類名】明細書
【補正対象項目名】０１０８
【補正方法】変更
【補正の内容】
【０１０８】
ステップＳ６０２の判別の結果、確認された電圧の値が、予め定められた値以上の場合には（ステップＳ６０２でＹＥＳ）、分離／接続部１５２、１１５２は、電話用インタフェース１２９，１１２９を分離する（ステップＳ６０３）。このように本実施の形態では、検知された電圧が、予め定められた電圧以上の場合に、電話用インタフェース１２９，１１２９を電気的に分離するようになっている。
【手続補正１８】
【補正対象書類名】明細書
【補正対象項目名】０１１０
【補正方法】変更
【補正の内容】
【０１１０】
一方、ステップＳ６０２の判別の結果、確認された電圧の値が、予め定められた値以上ではない場合には（ステップＳ６０２でＮＯ）、上記ステップＳ６０４で誤接続の可能性があることを示す画面を表示したか否かを判別する（ステップＳ６０５）。
【手続補正１９】
【補正対象書類名】明細書
【補正対象項目名】０１１４
【補正方法】変更
【補正の内容】
【０１１４】
図６は、図２のＣＰＵ２００及び図３のＣＰＵ１２００により実行される誤接続制御処理の手順を示すフローチャートである。
【手続補正２０】
【補正対象書類名】明細書
【補正対象項目名】０１１６
【補正方法】変更
【補正の内容】
【０１１６】
次いで、電圧検知部１５０，１１５０は、電話用インタフェース１２９，１１２９に印加されている電圧を検知し、その電圧の値を確認する（ステップＳ７０２）。
【手続補正２１】
【補正対象書類名】明細書
【補正対象項目名】０１１７
【補正方法】変更
【補正の内容】
【０１１７】
次いで、電圧検知部１５０，１１５０により確認された電圧の値が、予め定められた値以上であるか否かを判別する（ステップＳ７０３）。
【手続補正２２】
【補正対象書類名】明細書
【補正対象項目名】０１１８
【補正方法】変更
【補正の内容】
【０１１８】
ステップＳ７０３の判別の結果、確認された電圧の値が、予め定められた値以上の場合には（ステップＳ７０３でＹＥＳ）、ユーザに対して誤接続の可能性があること示す画面を表示器１１９，１１１９に表示し（ステップＳ７０４）、ステップＳ７０３に戻る。
【手続補正２３】
【補正対象書類名】明細書
【補正対象項目名】０１１９
【補正方法】変更
【補正の内容】
【０１１９】
一方、ステップＳ７０３の判別の結果、確認された電圧の値が、予め定められた値以上ではない場合には（ステップＳ７０３でＮＯ）、上記ステップＳ７０４で誤接続の可能性があること示す画面を表示したか否かを判別する（ステップＳ７０５）。
【手続補正２４】
【補正対象書類名】明細書
【補正対象項目名】０１２３
【補正方法】変更
【補正の内容】
【０１２３】
図７は、図２のＣＰＵ２００及び図３の１２００により実行される誤接続制御処理の手順を示すフローチャートである。
【手続補正２５】
【補正対象書類名】明細書
【補正対象項目名】０１２５
【補正方法】変更
【補正の内容】
【０１２５】
図７において、ＤＣ電源１１３、１１１３が間欠給電を開始する（ステップＳ８０１）。この間欠給電については後述する。このステップＳ８０１は、本発明の間欠給電開始手段に対応する。
【手続補正２６】
【補正対象書類名】明細書
【補正対象項目名】０１２６
【補正方法】変更
【補正の内容】
【０１２６】
次いで、電圧検知部１５０，１１５０は、電話用インタフェース１２９，１１２９に対して給電が行われていないタイミングで電話用インタフェース１２９，１１２９に印加されている電圧を検知し、その電圧の値を確認する（ステップＳ８０２）。このステップＳ８０２は、本発明の検知手段に対応する。
【手続補正２７】
【補正対象書類名】明細書
【補正対象項目名】０１２７
【補正方法】変更
【補正の内容】
【０１２７】
次いで、電圧検知部１５０，１１５０により確認された電圧の値が、予め定められた値以上であるか否かを判別する（ステップＳ８０３）。このステップＳ８０３は、本発明の判別手段に対応する。
【手続補正２８】
【補正対象書類名】明細書
【補正対象項目名】０１２８
【補正方法】変更
【補正の内容】
【０１２８】
ステップＳ８０３の判別の結果、確認された電圧が、予め定められた電圧以上の場合には（ステップＳ８０３でＹＥＳ）、ユーザに対して誤接続の可能性があること示す画面を表示器１１９，１１１９に表示し、さらにＤＣ電源１１３、１１１３からの給電を停止する（ステップＳ８０４）。このステップＳ８０４は、本発明の通知手段に対応する。
【手続補正２９】
【補正対象書類名】明細書
【補正対象項目名】０１３０
【補正方法】変更
【補正の内容】
【０１３０】
一方、ステップＳ８０３の判別の結果、確認された電圧が、予め定められた電圧以上ではない場合には（ステップＳ８０３でＮＯ）、ＤＣ電源１１３、１１１３から供給されている電流の値が、予め定められた値以上であるか否か判別する（ステップＳ８０７）。電流の値を確認するタイミングについては後述する。このステップＳ８０７は、本発明の他の判別手段に対応する。
【手続補正３０】
【補正対象書類名】明細書
【補正対象項目名】０１３１
【補正方法】変更
【補正の内容】
【０１３１】
ステップＳ８０７の判別の結果、ＤＣ電源１１３、１１１３から供給されている電流の値が、予め定められた値以上の場合には（ステップＳ８０７でＹＥＳ）、上記ステップＳ８０４に進む。
【手続補正３１】
【補正対象書類名】明細書
【補正対象項目名】０１３２
【補正方法】変更
【補正の内容】
【０１３２】
一方、ステップＳ８０７の判別の結果、ＤＣ電源１１３、１１１３から供給されている電流の値が、予め定められた値以上ではない場合には（ステップＳ８０７でＮＯ）、ＤＣ電源１１３、１１１３から継続して給電を行う（ステップＳ８０８）。このステップＳ８０８は、本発明の継続給電手段に対応する。
【手続補正３２】
【補正対象書類名】明細書
【補正対象項目名】０１３３
【補正方法】変更
【補正の内容】
【０１３３】
次いで、ダイヤルトーンが検知されたか否かを判別する（ステップＳ８０９）。ダイヤルトーンとは、公衆電話網やＴＡが出力している正弦波である。ダイヤルトーンが検知された場合は、誤接続があると判別し、上記ステップＳ８０４に進む。一方、ダイヤルトーンが検知されない場合は、電話機が正しく接続されていると判別し、本処理を終了する。ダイヤルトーンを検出するタイミングについては後述する。このステップＳ８０９は、本発明の他の検知手段に対応する。
【手続補正３３】
【補正対象書類名】明細書
【補正対象項目名】０１３６
【補正方法】変更
【補正の内容】
【０１３６】
図８（Ａ）は、間欠給電を説明するための図であり、（Ｂ）は電圧の値を確認するタイミングを示す図であり、（Ｃ）は電流の値の確認及びダイヤルトーンを検出するタイミングを示す図である。
【手続補正３４】
【補正対象書類名】明細書
【補正対象項目名】０１３９
【補正方法】変更
【補正の内容】
【０１３９】
図８（Ｂ）では、給電が行われていないタイミングで電圧の値を確認することが示されている。上記ステップＳ８０２では、このような給電が行われていないタイミングで電圧の値を確認する。
【手続補正３５】
【補正対象書類名】明細書
【補正対象項目名】０１４０
【補正方法】変更
【補正の内容】
【０１４０】
図８（Ｃ）では、時間Ｔ０〜Ｔ１で電流の値を確認し、Ｔ２以降にダイヤルトーンを検知することが示されている。
【手続補正３６】
【補正対象書類名】明細書
【補正対象項目名】０１４１
【補正方法】変更
【補正の内容】
【０１４１】
このように、ステップＳ８０７では、Ｔ０〜Ｔ１のタイミングでＤＣ電源１１３、１１１３から供給されている電流の値を確認し、ステップＳ８０９では、Ｔ２以降のタイミングでダイヤルトーンを検知する。
【手続補正３７】
【補正対象書類名】明細書
【補正対象項目名】０１４４
【補正方法】変更
【補正の内容】
【０１４４】
本実施の形態によれば、電話用インタフェース１２９，１１２９に印加されている電圧を検知し（ステップＳ４０１）、検知された電圧の値が予め定められた値以上であるか否かを判別する（ステップＳ４０２）。
【手続補正３８】
【補正対象書類名】明細書
【補正対象項目名】０１４５
【補正方法】変更
【補正の内容】
【０１４５】
そして、検知された電圧の値が予め定められた値以上であると判別された場合に（ステップＳ４０２でＹＥＳ）、ユーザに誤接続の可能性があることを通知するので（ステップＳ４０３）、従来技術と比較して、誤接続により生じる故障等の事象を予防可能となる。
【手続補正３９】
【補正対象書類名】特許請求の範囲
【補正対象項目名】全文
【補正方法】変更
【補正の内容】
【特許請求の範囲】
【請求項１】
通信装置であって、
電話機を接続するためのインタフェースと、
前記インタフェースに給電する給電部と、
前記インタフェースに印加されている電圧を検知する検知手段と、
前記検知手段により検知された電圧の値が予め定められた値以上であるか否かを判別する判別手段と、
前記判別手段により、前記検知された電圧の値が前記予め定められた値以上であると判別された場合に、ユーザに誤接続の可能性があることを通知する通知手段と、
前記判別手段により、前記検知された電圧の値が前記予め定められた値以上ではないと判別された場合に、前記給電部による給電を開始する給電開始手段とを有することを特徴とする通信装置。
【請求項２】
前記判別手段により、前記検知された電圧の値が前記予め定められた値以上であると判別された場合に、前記インタフェースに印加されている電圧の電流を流すことを特徴とする請求項１記載の通信装置。
【請求項３】
前記検知手段は、前記通信装置の起動時に前記インタフェースに印加されている電圧を検知することを特徴とする請求項１または請求項２記載の通信装置。
【請求項４】
前記判別手段により検知された電圧の値が、前記予め定められた値以上であると判別された場合に、前記インタフェースを電気的に分離することを特徴とする請求項１記載の通信装置。
【請求項５】
前記検知手段が前記インタフェースに印加されている電圧を検知する前に、予め前記インタフェースを電気的に分離することを特徴とする請求項１記載の通信装置。
【請求項６】
通信装置であって、
電話機を接続するためのインタフェースと、
前記インタフェースに給電する給電部と、
前記給電部からの間欠給電を開始させる間欠給電開始手段と、
前記間欠給電開始手段からの前記間欠給電が開始された後に、前記給電部による給電が行われていないタイミングで前記インタフェースに印加されている電圧を検知する検知手段と、
前記検知手段により検知された電圧の値が予め定められた値以上であるか否かを判別する判別手段と、
前記判別手段により、前記検知された電圧の値が前記予め定められた値以上ではないと判別された場合に、前記給電部から供給されている電流の値が予め定められた値以上か否かを判別する他の判別手段と、
前記他の判別手段により、前記給電部から供給されている電流の値が前記予め定められた値以上ではないと判別された場合に、前記給電部からの給電を継続させる継続給電手段と、
前記継続給電手段により給電が継続されている状態で、前記インタフェースにおいて予め定められた正弦波を検知する他の検知手段と、
前記判別手段により、前記検知された電圧の値が前記予め定められた値以上であると判別され、前記他の判別手段により、前記給電部から供給されている電流の値が前記予め定められた値以上であると判別され、且つ前記他の検知手段により、前記予め定められた正弦波が検知された場合に、前記インタフェースへの給電を停止し、ユーザに誤接続の可能性があることを通知する通知手段とを有することを特徴とする通信装置。
【請求項７】
電話機を接続するためのインタフェースと、前記インタフェースに給電する給電部とを有する通信装置の制御方法であって、
前記インタフェースに印加されている電圧を検知する検知ステップと、
前記検知ステップにおいて検知された電圧の値が予め定められた値以上であるか否かを判別する判別ステップと、
前記判別ステップにおいて、前記検知された電圧の値が前記予め定められた値以上であると判別された場合に、ユーザに誤接続の可能性があることを通知する通知ステップと、
前記判別ステップにおいて、前記検知された電圧の値が前記予め定められた値以上ではないと判別された場合に、前記給電部による給電を開始する給電開始ステップとを有することを特徴とする制御方法。
【請求項８】
電話機を接続するためのインタフェースと、前記インタフェースに給電する給電部とを有する通信装置の制御方法であって、
前記給電部からの間欠給電を開始させる間欠給電開始ステップと、
前記間欠給電開始ステップにおいて前記間欠給電が開始された後に、前記給電部による給電が行われていないタイミングで前記インタフェースに印加されている電圧を検知する検知ステップと、
前記検知ステップにおいて検知された電圧の値が予め定められた値以上であるか否かを判別する判別ステップと、
前記判別ステップにおいて、前記検知された電圧の値が前記予め定められた値以上ではないと判別された場合に、前記給電部から供給されている電流の値が予め定められた値以上であるか否かを判別する他の判別ステップと、
前記他の判別ステップにおいて、前記給電部から供給されている電流の値が前記予め定められた値以上ではないと判別された場合に、前記給電部からの給電を継続させる継続給電ステップと、
前記継続給電ステップにおいて給電が継続されている状態で、前記インタフェースにおいて予め定められた正弦波を検知する他の検知ステップと、
前記判別ステップにおいて、前記検知された電圧の値が前記予め定められた値以上であると判別され、前記他の判別ステップにおいて、前記給電部から供給されている電流の値が前記予め定められた値以上であると判別され、且つ前記他の検知ステップにおいて、前記予め定められた正弦波が検知された場合に、前記インタフェースへの給電を停止し、ユーザに誤接続の可能性があることを通知する通知ステップとを有することを特徴とする制御方法。
【請求項９】
電話機を接続するためのインタフェースと、前記インタフェースに給電する給電部とを有する通信装置の制御方法をコンピュータに実行させるためのプログラムであって、
前記制御方法は、
前記インタフェースに印加されている電圧を検知する検知ステップと、
前記検知ステップにおいて検知された電圧の値が予め定められた値以上であるか否かを判別する判別ステップと、
前記判別ステップにおいて、前記検知された電圧の値が前記予め定められた値以上であると判別された場合に、ユーザに誤接続の可能性があることを通知する通知ステップと、
前記判別ステップにおいて、前記検知された電圧の値が前記予め定められた値以上ではないと判別された場合に、前記給電部による給電を開始する給電開始ステップとを有することを特徴とするプログラム。
【請求項１０】
電話機を接続するためのインタフェースと、前記インタフェースに給電する給電部とを有する通信装置の制御方法をコンピュータに実行させるためのプログラムであって、
前記制御方法は、
前記給電部からの間欠給電を開始させる間欠給電開始ステップと、
前記間欠給電開始ステップにおいて前記間欠給電が開始された後に、前記給電部による給電が行われていないタイミングで前記インタフェースに印加されている電圧を検知する検知ステップと、
前記検知ステップにおいて検知された電圧の値が予め定められた値以上であるか否かを判別する判別ステップと、
前記判別ステップにおいて、前記検知された電圧の値が前記予め定められた値以上ではないと判別された場合に、前記給電部から供給されている電流の値が予め定められた値以上であるか否かを判別する他の判別ステップと、
前記他の判別ステップにおいて、前記給電部から供給されている電流の値が前記予め定められた値以上ではないと判別された場合に、前記給電部からの給電を継続させる継続給電ステップと、
前記継続給電ステップにおいて給電が継続されている状態で、前記インタフェースにおいて予め定められた正弦波を検知する他の検知ステップと、
前記判別ステップにおいて、前記検知された電圧の値が前記予め定められた値以上であると判別され、前記他の判別ステップにおいて、前記給電部から供給されている電流の値が前記予め定められた値以上であると判別され、且つ前記他の検知ステップにおいて、前記予め定められた正弦波が検知された場合に、前記インタフェースへの給電を停止し、ユーザに誤接続の可能性があることを通知する通知ステップとを有することを特徴とするプログラム。